(57)【特許請求の範囲】
【請求項１】
複数の卵パックが収容可能なケース本体を形成し、
前記ケース本体の上部外周縁には、
少なくとも前記卵パックの上部外縁部に形成されているヒンジ部と、このヒンジ部に連続する短辺側のフランジ部と当接するフランジ部を形成し、
前記ケース本体の底部内面上には、
収容した卵パックの移動を阻止するためのリブを、横区画壁のうち、短辺側に位置する隔壁を、上方に突出させた状態で形成することによって形成し、
前記ケース本体の底面と前記卵パックの底面との間に、空隙部を構成したこと
を特徴とする卵パック収容ケース。
【請求項２】
前記空隙部は、
前記収容凹部の底部内面から前記フランジ部の上面までの高さを、前記卵パックの卵収容凹部の底部外面から、ヒンジ部の下面までの高さよりも高く設定することによって構成されていること
を特徴とする請求項１に記載の卵パック収容ケース。
【請求項３】
前記ケース本体の底部内面上には、補強用のリブが形成されていること
を特徴とする請求項１又は２に記載の卵パック収容ケース。
【請求項４】
前記収容ケース本体は、
卵パックを複数収容した状態でシュリンク包装されていること
を特徴とする請求項１〜３のいずれかに記載の卵パック収容ケース。
【発明の詳細な説明】
【技術分野】
【０００１】
この発明は、汎用されている卵パックの複数を、収容することが可能な卵パック収容ケースに関するものである。
より具体的には、所定個数の卵（鶏卵）を収容する卵パックを、複数収容することができるとともに、卵パック内の卵を損傷させることなく維持することができる、卵パック収容ケースに関するものである。
【背景技術】
【０００２】
従来、複数個の卵を収容するためのプラスチック製で薄いシート状のケースとして、いわゆる卵パックがある。
このような卵パックは、その一側縁をヒンジとして開閉可能な略箱形状を有し、その本体ケース内には、卵の形状及び大きさに応じて、所定個数の卵を安定した状態で収容可能なように卵収容凹部が、蓋体の裏面には、収容した卵が上方からの押圧によって損傷することを防止するための、略截頭錐形状の突起部が設けられている。
かかる卵パックは、前記卵収容凹部に卵を収容した状態で蓋体を閉じ、一般的には、ヒンジとなる側縁と相対する側縁のフランジ部において、本体と蓋体とをステープル止めして、出荷される。
【０００３】
このような卵パックとしては、例えば、特開２００３−１３７３７６号公報（特許文献１）において、
合成樹脂製のシート素材を膨出成形させ、卵の下半分を収容する卵収容凹部が複数個並列形成されている容器本体と、卵の上半分を覆う卵収容凹部を備えた蓋体とが、一側の折り曲げ部を介して折曲げ自在に一連に形成されている卵包装用容器であって、
前期容器本体と蓋体との何れか一方に、断面形状コの字形の密閉用突条が卵収容凹部の周縁部又は卵収容凹部の周縁部に亘って形成され、
他方に、前記密閉用突条を受け入れる密閉用突条嵌合凹部が、卵収容凹部又は卵収容凹部の周縁部に形成され、
閉蓋姿勢において、これら密閉用突条と密閉用突条嵌合凹部が相対嵌合し、容器内を防虫密閉する構造とした
パッケージ入り卵の保護ケースが開示されている。
【０００４】
さらに、特開２００４−１７９６８号公報（特許文献２）においては、従来と同じ生産性を維持でき、従来の自動包装機械や、容器閉止機械をそのまま使用できるもので、
容器内への虫の進入をほぼ完全に防止でき、鮮度を維持させておくことができる卵容器として、
内容物を収める凹部を形成した本体部、
これに対応する形状を備えたフタ部、及び
これら本体部およびフタ部を屈曲自在に連結するヒンジ部を有し、
かつ該本体部およびフタ部は、各々その周縁にフランジ部が設けられ、
各フランジ部の少なくとも一部には、閉蓋時に重なり合う対応位置に切断用筋目が設けられてなるプラスチック容器
が提案されている。
【先行技術文献】
【特許文献】
【０００５】
【特許文献１】特開２００３−１３７３７６号公報（請求項１，図１）
【特許文献２】特開２００４−１７９６８号公報（請求項１，図１）
【発明の概要】
【発明が解決しようとする課題】
【０００６】
食料品店で販売される卵は、個々で販売されているものもあるが、その多くは、６個あるいは１０個など特定の個数を１単位とした卵パックに収容して販売されている。
したがって、消費者は、卵パックに収容された卵の個数、例えば、１０個入りを１単位として、自己の必要分量に相当する卵を購入している。
【０００７】
一方、近年では、食材の低価格化を目的として「まとめ売り（大量販売）」という販売形態を採用する販売店が増加してきた。
この販売形態の下では、１０個入りの卵パックを１単位とすることが主流であるが、例えば、卵２０個入りケースを１単位として販売することで、１個当たりの価格を、より安くすることができる。
しかしながら、先々消費することが明確でない状態で、消費者が個人で大量購入を行うことは通常できない。
【０００８】
そのため、近年では、複数の消費者が共同して一括大量購入し、その後、各消費者に分配（シェア）することにより、大量購入による価格低減効果を享受することが行われている。
しかしながら、一つのケースに収容された複数（例えば２０個以上）の卵を、複数の消費者間で分配するのは煩雑であるという問題があった。
【０００９】
この発明はかかる現状に鑑み、卵の大量販売を可能とし、販売後において、複数の消費者での卵の分配が容易なケースを提供することを目的とするものである。
【課題を解決するための手段】
【００１０】
前記目的を達成するため、この発明にかかる請求項１に記載の発明は、
複数の卵パックが収容可能なケース本体を形成し、
前記ケース本体の上部外周縁には、
少なくとも前記卵パックの上部外縁部に形成されているヒンジ部と、このヒンジ部に連続する短辺側のフランジ部と当接するフランジ部を形成し、
前記ケース本体の底部内面上には、
収容した卵パックの移動を阻止するためのリブを、横区画壁のうち、短辺側に位置する隔壁を、上方に突出させた状態で形成することによって形成し、
前記ケース本体の底面と前記卵パックの底面との間に、空隙部を構成したこと
を特徴とする卵パック収容ケースである。
【００１１】
この発明の請求項２に記載の発明は、
請求項１に記載の卵パック収容ケースにおいて、
前記空隙部は、
前記収容凹部の底部内面から前記フランジ部の上面までの高さを、前記卵パックの卵収容凹部の底部外面から、ヒンジ部の下面までの高さよりも高く設定することによって構成されていること
を特徴とするものである。
【００１２】
この発明の請求項３に記載の発明は、
請求項１又は２に記載の卵パック収容ケースにおいて、
前記ケース本体は、
その底部内面上に補強用のリブが形成されていること
を特徴とするものである。
【００１３】
この発明の請求項４に記載の発明は、
請求項１〜３のいずれかに記載の卵パック収容ケースにおいて、
前記収容ケース本体は、
卵パックを複数収容した状態でシュリンク包装されていること
を特徴とするものである。
【発明の効果】
【００１４】
この発明にかかる卵パック収容ケースは、複数の卵パックを載置・収容することができるため、単体の卵パックを複数のまとめ売りすることが可能となるので、各消費者は、大量購入による価格低減効果を享受できる。
さらに、販売後には、消費者間で卵パック単位での卵のシェアが可能となるので、シェアが容易である。
【００１５】
さらに、この発明にかかる卵パック収容ケースは、既製の（汎用されている）卵パックに対応するものであるので、卵パック収容ケースに合わせて卵パックを製造する必要はなく、安価である。
【００１６】
さらに、この発明にかかる卵パック収容ケースでは、前記ケース本体の底面（底部内面）と前記卵パックの底面（底部外面）との間に空隙部が構成（形成）されているので、クッション性が向上し、卵パックに収容されている卵、特に、殻が薄い、ＬやＬＬの大玉の卵の破損のおそれが低減する。
さらにまた、収容された卵パックの移動を阻止するためのリブを設けているので、搬送や持ち歩きに際し、卵パックの移動が確実に阻止され、卵の損傷を防止することができるものである。
【図面の簡単な説明】
【００１７】
【図１】この発明にかかる卵パック収容ケースの一実施形態を示した斜視図である。
【図２】図１に示す卵パック収容ケースの上面図である。
【図３】図２の正面説明図である。
【図４】図２の側面説明図である。
【図５】図１に示す卵パック収容ケースに卵パックが収容された状態を模式的に示す斜視図である。
【図６】図５の正面図である。
【図７】図６の要部拡大図である。
【発明を実施するための形態】
【００１８】
以下、この発明にかかる卵パック収容ケースの実施の形態を、添付の図面に基づいて具体的に説明する。
なお、この発明の卵パック収容ケースは、図示の実施例に限定されるものではなく、発明の要旨を変更しない範囲内で改良を加えることができるものである。
【００１９】
この発明にかかる卵パック収容ケース１は、汎用されている縦長の卵パックＥＰ（図６参照）の複数を収容できる大きさを有するケース本体１ａを主体とするものである。
この実施例においては、前記ケース本体１ａは、２個の卵パックＥＰを収容できる大きさを有する略方形に近い矩形状を有し、樹脂シートからなるものであるが、紙シートなどでもよい。
【００２０】
前記ケース本体１ａは、その上部外周縁を囲繞して、図１に示されているように、前記卵パックの外縁部に形成されているヒンジ部と、このヒンジ部に連続する短辺側のフランジ部と当接するフランジ部２が一体的に形成されている。
なお、前記フランジ部２の先端面は、下方に向かって弧状に折り曲げて形成し、端縁による指又は手への損傷を防止するとともに、前記ケース本体１ａの強度を確保するよう構成されている。
【００２１】
かかるケース本体１ａは、長手方向に沿って所定の間隔を存して３つの縦区画壁３，３，３を底面上に突出形成させて横４列の凹部を形成するとともに、当間隔で配される４つの横区画壁４，４，４，４によって、二つの卵パックＥＰの計２０個の卵収容部を受け入れることのできる卵収容部収容用の凹部５，５・・・を形成したものである。
【００２２】
前記横区画壁４のうち、短辺側に位置する隔壁４ａ，４ａは、いずれも上方に突出させた状態で形成することによって、卵パックに形成された前後の卵収容部間に挿入可能としたもので、かかる構成によって、卵パックが前後方向への移動が阻止される。
【００２３】
なお、前記ケース本体１ａは、図１および図２で明らかなように、ケース本体１の適宜の部位に補強用のリブＲが形成され、ケース本体１の全体の強度を向上させるよう構成されている。
その際、前記横区画壁４ａと同様の横区画壁を、図２の中心に位置する部位に設けることによって、より一層全体の強度を向上させることが可能となるとともに、より確実にケース本体１ａ内において卵パックＥＰを保持することができる。
【００２４】
さらに、この実施例において、前記横区画壁４ａは、横方向に沿って、上下に二つ設けられているが、縦方向に沿って設けるようにしてもよいし、二つ以上設けてもよい。
【００２５】
前記構成の卵パックＥＰは、汎用品と同様にＰＥＴなどの合成樹脂シートにより形成されたものであって、図６に示すように、卵の下半部を受け入れる容器本体６と、卵の上半部を受け入れる蓋体７とをヒンジ部８を介して開閉自在に結合させたものである。
前記容器本体６には、この実施例においては、計１０個の卵１０を収容するための卵収容部９が設けられている。
【００２６】
この発明の卵パック収容ケース１は、上記のような構成を有するため、図６に示されるように、卵パックＥＰは、その卵収容部９の下部を前記ケース本体１ａに設けられた卵収容用の凹部５内に挿入し、前記卵パックＥＰのヒンジ部８とこのヒンジ部８と連続するフランジ部を前記ケース本体１ａのフランジ部２に当接させれば、ケース本体１ａに収容され、安定に保持される。
【００２７】
その際、この発明においては、前記ケース本体１ａの底面上には、短辺側に位置させて横区画壁４ａ，４ａが設けられている。
したがって、これらの横区画壁４ａ，４ａが、卵パックＥＰの前後の隙間に挿入され、前記卵パックＥＰの縦方向への移動を妨げるよう機能するので、卵パックＥＰは、より安定に保持される。
【００２８】
さらに、前記ケース本体１ａの周縁（上部外周縁）に形成されたフランジ部２は、少なくとも卵パックＥＰのヒンジ部８と、このヒンジ部８に連続する短辺側のフランジ部８ａ，８ａと当接する。
具体的には、前記ケース本体１ａの上部外周縁に設けられたフランジ部２は、その上面に卵パックＥＰのヒンジ部８の端面と、短辺側フランジ部８ａ，８ａが載置されるよう構成されている。
【００２９】
さらにまた、この発明にかかる卵パック収容ケース１では、前記ケース本体１ａの底面と前記卵パックの底面との間に、空隙部１１が構成される。
この実施例において、前記ケース本体１ａは、図６に示されるように、卵収容用の凹部５の底面（底部内面）からフランジ部２の上面までの高さが、卵パックＥＰの卵収容凹部９の底面（底部外面）からヒンジ部８下面（ヒンジ部８の、フランジ部２との当接面）までの高さよりも高くなるよう構成されている。
【００３０】
したがって、前記卵収容用の凹部５の底面と、卵パックＥＰの前記卵収容部９の底面との間には、空隙部１１が形成される。
このような空隙部１１の形成によるクッション性の向上と、前記ケース本体１ａの底面と卵パックＥＰの底面との直接的な接触が避けられることによって、卵パックＥＰに収容されている卵１０の破損のおそれが大幅に低減される。
【００３１】
なお、この実施例においては、卵パック収容ケース１を、１０個入りの卵パックを収容する構成としたが、４又は６個入りなど、適当な個数の卵パックを収容するように構成してもよい。
さらに、この実施例においては、卵パック収容ケース１を、卵パックを２つ収容する構成としたが、３つ以上収容できるように構成してもよい。
【００３２】
さらにまた、この発明の卵パック収容ケース１は、上記構成によってクッション性が向上しているので、通常のサイズ（ＳやＭ）の卵の他、殻が薄い、ＬやＬＬの大玉の卵を収容する卵パックにも適用可能である。
【００３３】
なお、この発明において、卵パックを収容した状態にある卵パック収容ケースを、従来法によって密封してもよい。
その際、例えば、卵パック収容ケースに収容された卵パックの上部全体をカバーできる蓋体を用いて密封する方法や、シュリンク包装によって前記卵パック収容ケース全体を密封する方法を採用することができる。
【産業上の利用可能性】
【００３４】
この発明にかかる卵パック収容ケースは、複数の卵パックの収容を可能とするもので、卵の大量販売を可能とし、販売後において複数の消費者間での卵の分配が容易となる。
したがって、特に食品業界において幅広く利用されるものである。
【符号の説明】
【００３５】
１      卵パック収容ケース
１ａ    ケース本体
１ｂ    側縁
２      フランジ部
３      縦区画壁
４      横区画壁
４ａ    横区画壁（移動阻止壁）
５      収容凹部（卵収容部収容用の凹部）
６      卵パックの容器本体
７      卵パックの蓋体
８      卵パックのヒンジ部
８ａ    短辺側フランジ部
９      卵パックの卵収容凹部
１０      卵
１１      空隙部
ＥＰ      卵パック
Ｒ      リブ
【図１】
0005950237.tif 000002
【図２】
0005950237.tif 000003
【図３】
0005950237.tif 000004
【図４】
0005950237.tif 000005
【図５】
0005950237.tif 000006
【図６】
0005950237.tif 000007
【図７】
0005950237.tif 000008